(57)【要約】【課題】本開示はツインフロータイプの空気調和機による制御に関するもので優先空調を行う領域１および、非優先空調を行う領域２に対して、異なる空調制御を行う場合、単に２つの室内ファン回転の比率を変えるだけでは、サージング音が発生する場合があった。【解決手段】本開示における空気調和機は、優先空調をする側の吹出口の上下フラップ開口仰角をＦ１とし、非優先側の吹出口の上下フラップ開口仰角をＦ２、優先側のファン回転数をＲ１、非優先側のファン回転数をＲ２としたときに、Ｆ１＞Ｆ２且つ１５°＜Ｆ２＜３５°且つ０．９１＜Ｒ２／Ｒ１＜０．９４を満たす条件で制御する。【選択図】図２
2020165574.tif 000002
【特許請求の範囲】
【請求項１】
室内ユニットに２つの熱交換器と、室内空気を循環させ前記熱交換器と熱交換させる２つのファンとを備え、前記熱交換した空調用空気を室内の２方向に吹き出す空気調和機において、前記２方向のうちのいずれか一方を優先的に選択する制御手段と、前記優先選択された方向に対応する吹出口の上下フラップ開口仰角をＦ１とし、優先選択されなかった方向に対応する吹出口の上下フラップ開口仰角をＦ２とした場合に、Ｆ１＞Ｆ２となるように制御する制御手段とを設けたことを特徴とする空気調和機。
【請求項２】
前記Ｆ２の範囲を、１５°＜Ｆ２＜３５°となるように制御することを特徴とする請求項１記載の空気調和機。
【請求項３】
前記優先選択された方向に対応する吹出口のファン回転数をＲ１とし、前記優先選択されなかった方向に対応する吹出口のファン回転数をＲ２とした場合にＲ２／Ｒ１の範囲を、０．９１  ＜Ｒ２／Ｒ１＜０．９４  となるように制御することを特徴とする請求項１または２に記載の空気調和機。
【発明の詳細な説明】
【技術分野】
【０００１】
本開示は、天井面に設置され室内の２方向に空調用空気を吹き出すツインフロータイプの空気調和機に関する。              
【背景技術】
【０００２】
特許文献１は、２方向吹出しによって室内の住人に快適な温度分布を確保するようにしたツインフロータイプの空気調和機を開示する。この空気調和機は、天井面に設置される室内ユニットと、この室内ユニットに設けられる２つの熱交換器と、室内空気を循環させるための２つの室内ファンとを備える。
【先行技術文献】
【特許文献】
【０００３】
【特許文献１】特開平６−１３７６４４号公報
【発明の概要】
【発明が解決しようとする課題】
【０００４】
本開示は、ツインフロータイプの空気調和機の使用者が、部屋内の２空間に対して相互に異なる空調を要求した場合に、吹出し方向制御および２つの室内ファンの回転数に差が生じることによりサージング音が発生するのを抑制する空気調和機を提供する。
【課題を解決するための手段】
【０００５】
本開示における空気調和機は、室内ユニットに２つの熱交換器と、室内空気を循環させ前記熱交換器と熱交換させる２つのファンとを備え、前記熱交換した空調用空気を室内の２方向に吹き出す空気調和機において、前記２方向のうちのいずれか一方を優先的に選択する制御手段と、前記優先選択された方向に対応する吹出口の上下フラップ開口仰角をＦ１とし、優先選択されなかった方向に対応する吹出口の上下フラップ開口仰角をＦ２とした場合に、Ｆ１＞Ｆ２となるように制御する制御手段とを備える。
【発明の効果】
【０００６】
本開示における空気調和機は、室内機のファンの周囲の気流が乱れて発生するサージング音を抑制したツインフロータイプの空気調和機を提供することができる。
【図面の簡単な説明】
【０００７】
【図１】実施の形態におけるツインフロータイプの空気調和機の断面図
【図２】実施の形態における制御パラメータの範囲を決定する実験評価結果を表す図
【図３】実施の形態における上下フラップ開口仰角Ｆ１、Ｆ２ならびにファン回転数の説明図
【発明を実施するための形態】
【０００８】
発明者らが本開示に想到するに至った当時、部屋内の２空間に対して相互に異なる空調を要求した場合、ツインフロータイプの空気調和機は、２つあるファンのそれぞれの風量比率を変化させる技術があったが、風量の比率を単に変化させるものであった。
【０００９】
この構成であると、一方のファンの風量が他方のファンの風量に対して所定以上に大きい場合に、前記他方のファンの送風能力が前記一方のファンの送風能力に対して負け、前記他方のファンの周囲で空気の逆流が生じ、サージング音が異常音として発生するといった状況があった。
【００１０】
この様な状況下において発明者らは、前記２つのファンの回転数の比率と上下フラップ開口仰角（天井面に平行な面を基準）との２つの制御パラメータを変化させて検討し、所定の範囲にて制御すれば２空間の空調制御とサージング音抑制とを両立できるとの知見を得るに至った。
【００１１】
本開示は、室内ユニットに２つの熱交換器と、室内空気を循環させ前記熱交換器と熱交換させる２つのファンとを備え、前記熱交換した空調用空気を室内の２方向に吹き出す空気調和機において、前記２方向のうちのいずれか一方を優先的に選択する制御手段と、前記優先選択された方向に対応する吹出口の上下フラップ開口仰角をＦ１とし、優先選択されなかった方向に対応する吹出口の上下フラップ開口仰角をＦ２とした場合に、Ｆ１＞Ｆ２となるように制御する制御手段とを設けることで、室内機のファンの周囲の気流が乱れて発生するサージング音を抑制した、ツインフロータイプの空気調和機を提供する。
【００１２】
また、さらにはＦ２の範囲を、１５°＜Ｆ２＜３５°となるように制御することで、よりサージング音を抑制した、ツインフロータイプの空気調和機を提供する。
【００１３】
以下、図面を参照しながら実施の形態を詳細に説明する。但し、必要以上に詳細な説明は省略する場合がある。例えば、既によく知られた事項の詳細説明、または、実質的に同一の構成に対する重複説明を省略する場合がある。
【００１４】
なお、添付図面および以下の説明は、当業者が本開示を十分に理解するために提供されるのであって、これらにより特許請求の範囲に記載の主題を限定することを意図していない。
【００１５】
（実施の形態１）
以下、図１〜図３を用いて、実施の形態１を説明する。
図１は、ツインフロータイプの空気調和機を天井面に設置したときの縦断面図である。
同図に示したツインフロータイプの空気調和機は、被空調室内において天井面に室内ユニットが埋め込み状態で取付けられる。この室内ユニットは天井面と並行な下面部の中央に吸込口１を有し、吸込口１の両側に優先吹出口５および非優先吹出口８を有する。
【００１６】
室内ファン３、４が運転オンすると、室内空気が吸込口を通して通風路に吸込まれ、それが室内熱交換器２を通り、空調用空気となって吹出口５、７から室内空間へ吹出される。
【００１７】
優先空調を行う優先領域および、優先空調を行わず空調を緩やかに行う非優先領域に対して、サージングを抑制しつつ同時に空調制御を行う場合、優先吹出口５および非優先吹出し口７のそれぞれの上下フラップ６，８および室内ファン３、４を適切に制御しなければならない。
【００１８】
図２は、実施の形態における制御パラメータの範囲を決定する実験結果を表す図である。
【００１９】
上記の手段によって２空間空調制御を行う場合、図２に表す実験結果に示すように、２つの室内ファンの回転数の比Ｒ２／Ｒ１の範囲によっては、指定の空調制御をしてもサージング音が発生する場合がある（例えば、Ｒ２／Ｒ１＜０．９１）。
ここで、Ｒ１は優先空間の空調を行うためのファン３の回転数、Ｒ２は非優先空間の空調を行うためのファン４の回転数である。
【００２０】
同図に示すように本開示では、Ｆ１＞Ｆ２かつ１５°＜Ｆ２＜３５°、０．９１＜Ｒ２／Ｒ１＜０．９４を満たすことによりサージング音を抑制しつつ、要求の２空間空調制御を達成する。
【００２１】
以下、図２の結果を得るための実験評価について説明する。
【００２２】
（評価１）
試験室空調が室温２１℃、湿度５０％の環境において、無響室で天井埋め込み型のツインフロータイプの空気調和機を用いて２空間空調評価、および、サージング音の実聴評価を行った。２空間空調については、空調を行う対象の２つの領域それぞれの中心平均温度差が２℃以上で２空間空調を達成したと判断する。
【００２３】
優先吹出口の上下フラップ開口仰角をＦ１、非優先吹出口の上下フラップ開口仰角をＦ２、優先側のファン回転数をＲ１、非優先側のファン回転数をＲ２としたときに、Ｆ１＝４５°かつＦ２＝３５°、Ｒ２／Ｒ１＝０．９１を満たす条件において、サージング音は基準値以下を達成し、また、２空間の中心平均温度差は２℃以上を達成した。
【００２４】
（評価２）
実施例１と同様の試験方法で、Ｆ１＝４５°かつＦ２＝１５°、Ｒ２／Ｒ１＝０．９１を満たす条件において、サージング音は基準値以下を達成し、また、２空間の中心平均温度差は２℃以上を達成した。
【００２５】
（評価３）
実施例１と同様の試験方法で、Ｆ１＝４５°かつＦ２＝３５°、Ｒ２／Ｒ１＝０．９４を満たす条件において、サージング音は基準値以下を達成し、また、２空間の中心平均温度差は２℃以上を達成した。
【００２６】
（評価４）
実施例１と同様の試験方法で、Ｆ１＝４５°かつＦ２＝１５°、Ｒ２／Ｒ１＝０．９４を満たす条件において、サージング音は基準値以下を達成し、また、２空間の中心平均温度差は２℃以上を達成した。
【００２７】
（比較評価１）
評価１と同様の試験方法で、Ｆ１＝４５°かつＦ２＝４０°、Ｒ２／Ｒ１＝０．９１を満たす条件におい  て、サージング音は基準値以下を達成したが、２空間の中心平均温度差は２℃未満となった。
【００２８】
（比較評価２）
評価１と同様の試験方法で、Ｆ１＝４５°かつＦ２＝４０°、Ｒ２／Ｒ１＝０．９０を満たす条件において、サージング音は基準値以上となり、２空間の中心平均温度差は２℃未満となった。
【００２９】
（比較評価３）
評価１と同様の試験方法でＦ１＝４５°かつＦ２＝１０°、Ｒ２／Ｒ１＝０．９４を満たす条件において、２空間の中心平均温度差は２℃以上を達成したが、サージング音は基準値以上となった。
【００３０】
（比較評価４）
評価１と同様の試験方法でＦ１＝４５°かつＦ２＝１５°、Ｒ２／Ｒ１＝０．９５を満たす条件において、サージング音は基準値以下を達成したが、２空間の中心平均温度差は２℃未満となった。
【００３１】
（比較評価５）
評価１と同様の試験方法でＦ１＝４５°かつＦ２＝３５°、Ｒ２／Ｒ１＝０．９０を満たす条件において、２空間の中心平均温度差は２℃以上を達成したが、サージング音は基準値以上となった。
【産業上の利用可能性】
【００３２】
本開示は、天井埋め込み式のツインフロータイプの空気調和機に適用される。
【符号の説明】
【００３３】
１  吸込口
２  熱交換器
３  優先側ファン
４  非優先側ファン
５  優先側吹出口
６  優先側上下フラップ
７  非優先吹出口
８  非優先上下フラップ
【図１】
2020165574.tif 000003
【図２】
2020165574.tif 000004
【図３】
2020165574.tif 000005